(57)【要約】【課題】  オーディオ記録装置において、マイクロホンに不要な音を入力させることなく、スイッチボタンが操作されたことを使用者に知らせる。【解決手段】  オーディオ信号を記録媒体に記録するオーディオ記録装置において、オーディオ記録装置の操作信号を有線又は無線で送信するリモートコントローラと、リモートコントローラに備えられオーディオ記録装置を操作する指示を入力するボタンスイッチと、リモートコントローラに備えられ振動を発生する振動部と、リモートコントローラからの操作信号が入力されボタンスイッチが操作されたことを検出する操作検出部と、記録媒体へのオーディオ信号の記録の開始から終了までの間に操作検出部がボタンスイッチの操作を検出したとき振動部に振動を発生させる振動制御部とを備える。【選択図】  図１
2006343362.tif 000002
【特許請求の範囲】
【請求項１】
オーディオ信号を記録媒体に記録するオーディオ記録装置において、前記オーディオ記録装置を操作するための操作信号を有線又は無線で送信するリモートコントローラと、前記リモートコントローラに備えられ前記オーディオ記録装置を操作するための指示を入力するボタンスイッチと、前記リモートコントローラに備えられ振動を発生する振動部と、前記リモートコントローラから送信された操作信号が入力され前記ボタンスイッチが操作されたことを検出する操作検出部と、記録媒体へのオーディオ信号の記録の開始から終了までの間に前記操作検出部が前記ボタンスイッチの操作を検出したとき前記振動部に振動を発生させる振動制御部とを備えることを特徴とするオーディオ記録装置。
【請求項２】
オーディオ信号を記録媒体に記録するオーディオ記録装置において、前記オーディオ記録装置を操作するための指示を入力するボタンスイッチと、前記ボタンスイッチにより入力された指示に対応する操作信号を出力する操作信号出力部と、振動を発生する振動部と、前記操作信号出力部から出力された操作信号が入力され前記ボタンスイッチが操作されたことを検出する操作検出部と、前記ボタンスイッチによって入力された操作の有効と無効を切り換える操作有効無効切換部と、前記操作検出部が前記ボタンスイッチの操作を検出したとき当該ボタンスイッチが前記操作有効無効切換部において有効である場合のみ前記振動部に振動を発生させる振動制御部とを備えることを特徴とするオーディオ記録装置。
【請求項３】
請求項２に記載のオーディオ記録装置において、前記操作有効無効切換部は、記録媒体へのオーディオ信号の記録を開始した後、記録の一時停止又は停止の操作を行うボタンスイッチが操作された場合に限って操作を有効とすることを特徴とするオーディオ記録装置。
【請求項４】
請求項２に記載のオーディオ記録装置において、記録媒体へのオーディオ信号の記録を開始するボタンスイッチが操作されたとき、前記振動制御部は前記振動部に振動を発生させ、振動を終了した後、記録媒体へのオーディオ信号の記録を開始することを特徴とするオーディオ記録装置。
【請求項５】
請求項３に記載のオーディオ記録装置において、記録媒体へのオーディオ信号の記録を開始した後、記録の一時停止又は停止の操作を行うボタンスイッチが操作されたとき、記録媒体へのディジタルオーディオ信号の記録を一時停止又は停止させた後、前記振動制御部が前記振動部に振動を発生させることを特徴とするオーディオ記録装置。
【請求項６】
請求項５に記載のオーディオ記録装置において、記録媒体へのオーディオ信号の記録を開始した後に記録の一時停止の操作を行うボタンスイッチが操作された後、一時停止を解除するボタンスイッチが操作されたとき、前記振動制御部は前記振動部に振動を発生させ、振動を終了した後、記録媒体へのオーディオ信号の記録を再開することを特徴とするオーディオ記録装置。
【請求項７】
請求項３乃至請求項６のいずれか一項に記載のオーディオ記録装置において、記録媒体へのオーディオ信号の記録を開始した後、記録を停止する操作を行うボタンスイッチが操作されたとき、記録媒体へのディジタルオーディオ信号の記録を停止させた後、前記操作有効無効切換部は、全てのボタンスイッチの操作を有効とすることを特徴とするオーディオ記録装置。
【発明の詳細な説明】
【技術分野】
【０００１】
本発明は、オーディオ信号を記録するオーディオ記録装置に関する。
【背景技術】
【０００２】
オーディオ記録装置において、使用者がオーディオ記録装置への指示を入力するためのボタンスイッチを押すと、ボタンスイッチが操作されたことを使用者に知らせるために、文字等を表示する機能を備えた装置がある。
ボタンスイッチが押されたとき、文字等を表示する機能においては、使用者が表示を常時監視していなければ、ボタンスイッチが操作されたことを使用者に知らせるための文字等の表示を見逃すことがあった。
【０００３】
このため、使用者が表示を常時監視していなくても、ボタンスイッチを押したことを使用者自身が確認できるようにするため、ボタンスイッチを押すと、信号音を鳴らす機能を備えた装置がある（特許文献１）。
また、使用者が常時注意していなくても、ボタンスイッチを押したことを使用者自身が確認できるようにするため、ボタンスイッチを押すと、ボタンスイッチを振動させる機能を備えた装置がある（特願２００４−２８１０９２）。
【０００４】
【特許文献１】特開２０００−２７８０６０号公報
【発明の開示】
【発明が解決しようとする課題】
【０００５】
特許文献１の発明に関して、マイクロホンから入力されるオーディオ信号を記録するオーディオ記録装置において、ボタンスイッチが操作されたことを使用者に知らせるための信号音を鳴らす機能を備える場合、オーディオ信号の記録開始後、操作者が操作ボタンスイッチを押すと信号音がスピーカから出力され鳴らされるため、この信号音が記録用のマイクロホンに入力されて、記録されてしまうことがある。
【０００６】
特願２００４−２８１０９２の発明に関して、マイクロホンから入力されるオーディオ信号を記録するオーディオ記録装置において、ボタンスイッチが操作されたことを使用者に知らせるためにボタンスイッチを振動させる機能を備える場合、マイクロホンと振動部が共通の筐体に取り付けられていると、振動がマイクロホンに伝播して振動に起因する雑音がマイクロホンに入力されて、記録されてしまうことがある。
【０００７】
このため、使用者がボタンスイッチを操作したとき、マイクロホンに不要な信号音又は雑音が入力され記録媒体に記録されることなく、使用者にボタンスイッチが操作されたことを確実に知らせる機能が必要となる。
本発明の目的は、オーディオ記録装置において、マイクロホンに不要な信号音又は雑音が入力され記録媒体に記録されることなく、使用者が常時注意していなくても、ボタンスイッチが操作されたことを使用者に知らせる機能を備えた装置を提供することにある。
【課題を解決するための手段】
【０００８】
本発明の請求項１に記載のオーディオ記録装置は、オーディオ信号を記録媒体に記録するオーディオ記録装置において、前記オーディオ記録装置を操作するための操作信号を有線又は無線で送信するリモートコントローラと、前記リモートコントローラに備えられ前記オーディオ記録装置を操作するための指示を入力するボタンスイッチと、前記リモートコントローラに備えられ振動を発生する振動部と、前記リモートコントローラから送信された操作信号が入力され前記ボタンスイッチが操作されたことを検出する操作検出部と、記録媒体へのオーディオ信号の記録の開始から終了までの間に前記操作検出部が前記ボタンスイッチの操作を検出したとき前記振動部に振動を発生させる振動制御部とを備えるものである。
【０００９】
本発明の請求項２に記載のオーディオ記録装置は、オーディオ信号を記録媒体に記録するオーディオ記録装置において、前記オーディオ記録装置を操作するための指示を入力するボタンスイッチと、前記ボタンスイッチにより入力された指示に対応する操作信号を出力する操作信号出力部と、振動を発生する振動部と、前記操作信号出力部から出力された操作信号が入力され前記ボタンスイッチが操作されたことを検出する操作検出部と、前記ボタンスイッチによって入力された操作の有効と無効を切り換える操作有効無効切換部と、前記操作検出部が前記ボタンスイッチの操作を検出したとき当該ボタンスイッチが前記操作有効無効切換部において有効である場合のみ前記振動部に振動を発生させる振動制御部とを備えるものである。
【００１０】
本発明の請求項３に記載のオーディオ記録装置は、請求項２に記載のオーディオ記録装置において、前記操作有効無効切換部は、記録媒体へのオーディオ信号の記録を開始した後、記録の一時停止又は停止の操作を行うボタンスイッチが操作された場合に限って操作を有効とするものである。
【００１１】
本発明の請求項４に記載のオーディオ記録装置は、請求項２に記載のオーディオ記録装置において、記録媒体へのオーディオ信号の記録を開始するボタンスイッチが操作されたとき、前記振動制御部は前記振動部に振動を発生させ、振動を終了した後、記録媒体へのオーディオ信号の記録を開始するものである。
【００１２】
本発明の請求項５に記載のオーディオ記録装置は、請求項３に記載のオーディオ記録装置において、記録媒体へのオーディオ信号の記録を開始した後、記録の一時停止又は停止の操作を行うボタンスイッチが操作されたとき、記録媒体へのディジタルオーディオ信号の記録を一時停止又は停止させた後、前記振動制御部が前記振動部に振動を発生させるものである。
【００１３】
本発明の請求項６に記載のオーディオ記録装置は、請求項５に記載のオーディオ記録装置において、記録媒体へのオーディオ信号の記録を開始した後に記録の一時停止の操作を行うボタンスイッチが操作された後、一時停止を解除するボタンスイッチが操作されたとき、前記振動制御部は前記振動部に振動を発生させ、振動を終了した後、記録媒体へのオーディオ信号の記録を再開するものである。
【００１４】
本発明の請求項７に記載のオーディオ記録装置は、請求項３乃至請求項６のいずれか一項に記載のオーディオ記録装置において、記録媒体へのオーディオ信号の記録を開始した後、記録を停止する操作を行うボタンスイッチが操作されたとき、記録媒体へのディジタルオーディオ信号の記録を停止させた後、前記操作有効無効切換部は、全てのボタンスイッチの操作を有効とするものである。
【発明の効果】
【００１５】
本発明のオーディオ記録装置によれば、スイッチボタンが操作されたとき、マイクロホンに不要な信号音又は雑音が入力され記録媒体に記録されることなく、操作されたことを振動によって使用者に知らせることができる。
【発明を実施するための最良の形態】
【００１６】
図１は、本発明のオーディオ記録装置の第１の実施例の構成を示すブロック図である。オーディオ記録装置１は、マイクロホン１１、ＡＤＣ／ＤＡＣ(Analog to Digital Converter / Digital to Analog Converter)１２、ＣＰＵ(Central Processing Unit)１３、出力端子１４、不揮発性メモリ１５、送受信部１６を備える。マイクロホン１１は、外部から入力される音声をアナログオーディオ信号に変換する。ＡＤＣ／ＤＡＣ１２は、マイクロホン１１から入力されるアナログオーディオ信号をディジタルオーディオ信号に変換する。また、ＡＤＣ／ＤＡＣ１２は、ＣＰＵ１３を介して不揮発性メモリ１５から入力されるディジタルオーディオ信号をアナログオーディオ信号に変換する。
【００１７】
ＣＰＵ１３は、ＡＤＣ／ＤＡＣ１２から入力されるディジタルオーディオ信号を、不揮発性メモリ１５に記録する。また、ＣＰＵ１３は、不揮発性メモリ１５に記録されたディジタルオーディオ信号を読み出しＡＤＣ／ＤＡＣ１２に出力する。ＣＰＵ１３は、操作検出部１３ａ、振動制御部１３ｂを備える。操作検出部１３ａは、リモートコントローラ２から送受信部１６を介して受信する操作信号を検出する。振動制御部１３ｂは、振動部２ｂを制御し、操作検出部１３ａが、後述するリモートコントローラ２から送受信部１６を介して受信した操作信号を検出したとき、振動部２ｂを制御する振動制御信号を出力する。また、ＣＰＵ１３は、ＡＤＣ／ＤＡＣ１２のオーディオ信号の入出力動作、不揮発性メモリ１５のディジタルオーディオ信号の記録動作、送受信部１６の送受信動作を制御する。
【００１８】
出力端子１４は、ＡＤＣ／ＤＡＣ１２から入力されるアナログオーディオ信号を、接続された外部の装置に出力する。不揮発性メモリ１５は、フラッシュメモリ等の記録媒体であり、ＣＰＵ１３から入力されるディジタルオーディオ信号を記録する。送受信部１６は、リモートコントローラ２から有線又は無線で送信された操作信号を受信してＣＰＵ１３に入力し、ＣＰＵ１３の振動制御部１３ｂから入力された振動制御信号をリモートコントローラ２に送信する。
【００１９】
リモートコントローラ２は、オーディオ記録装置１の操作信号を有線又は無線で送信する。リモートコントローラ２は、送受信部２ａ、ボタンスイッチ２ｂ、振動部２ｃを備える。リモートコントローラ２の筐体は、オーディオ記録装置１とは別の筐体である。送受信部２ａは、オーディオ記録装置１の送受信部１６に信号線で接続され当該信号線を介して操作信号を伝送する。又は、送受信部２ａは、赤外線等の無線通信を用いて操作信号を送信し、オーディオ記録装置１の送受信部１６は操作信号を受信してＣＰＵ１３に入力する。
【００２０】
ボタンスイッチ２ｂは、使用者が操作するボタンスイッチであって、リモートコントローラ２は操作されたボタンスイッチに基づく操作信号を出力し、送受信部２ａを介して送信する。振動部２ｃは、ＣＰＵ１３の振動制御部１３ｂが出力し送受信部１６から送信され送受信部２ａが振動制御信号を受信すると、当該振動制御信号が入力され、振動を発生する。
【００２１】
第１の実施例のオーディオ記録装置によれば、オーディオ記録装置１のオーディオ信号記録中に、ボタンスイッチの操作による信号音又は雑音が記録されることもなく、ボタンスイッチが操作されたことを使用者が確認するための信号をリモートコントローラの振動として出力することができる。
【００２２】
図２は、本発明のオーディオ記録装置の第２の実施例の構成を示すブロック図である。図１に示した第１の実施例の構成と共通の構成要素には同じ符号を付して、説明を省略する。図２に示した第２の実施例では、図１に示したリモートコントローラ２を備えず、ボタンスイッチ１７、操作信号出力部１８、振動部１９を備えた、一体のオーディオ記録装置として構成されている。
【００２３】
ボタンスイッチ１７は、使用者が操作するボタンスイッチである。操作信号出力部１８は、操作されたボタンスイッチに基づく操作信号を、ＣＰＵ１３に出力する。振動部１９は、振動制御部１３ｂから振動制御信号が入力されると、振動を発生する。ＣＰＵ１３は、操作検出部１３ａ、振動制御部１３ｂ、操作有効無効切換部１３ｃを備える。操作検出部１３ａは、操作信号出力部１８から入力される操作信号を検出する。振動制御部１３ｂは、振動部１９を制御し、操作検出部１３ａが操作信号を検出したとき、振動部１９を制御する振動制御信号を出力する。操作有効無効切換部１３ｃは、ボタンスイッチ１７の操作を有効とするか無効とするかを切り換える。
【００２４】
また、振動制御部１３ｂは、ＣＰＵ１３が不揮発性メモリ１５へのディジタルオーディオ信号の記録を開始するとき、記録開始操作に対応して振動部１９を振動させる。そして、ＣＰＵ１３は、当該振動を終了した後、不揮発性メモリ１５へのディジタルオーディオ信号の記録を開始する。ＣＰＵ１３は、不揮発性メモリ１５へのディジタルオーディオ信号の記録を開始すると、記録を一時停止及び停止するボタンスイッチに限って有効とし、その他のボタンスイッチの操作を無効とするように、操作有効無効切換部１３ｃを制御する。
【００２５】
ＣＰＵ１３が、不揮発性メモリ１５へのディジタルオーディオ信号の記録を開始すると、操作有効無効切換部１３ｃは、ボタンスイッチ１７の、記録を一時停止又は停止するボタンスイッチに限って有効とし、その他のボタンスイッチの操作を無効とする。従って、不揮発性メモリ１５へのディジタルオーディオ信号の記録中、操作検出部１３ａが記録を一時停止又は停止する以外の操作信号を検出しても、振動制御部１３ｂは振動制御信号を出力せず、振動部１９は振動しない。使用者は、ボタンスイッチ１７の操作に対して振動部１９が振動しないことによって、当該ボタンスイッチ１７の操作が無効であることを知ることができる。
【００２６】
不揮発性メモリ１５へのディジタルオーディオ信号の記録中、ボタンスイッチ１７からＣＰＵ１３に記録を一時停止又は停止する操作信号が入力されると、ＣＰＵ１３は、ディジタルオーディオ信号の記録を一時停止又は停止させてから、振動制御部１３ｂに振動制御信号を出力させて、振動部１９を振動させる。ここで、ディジタルオーディオ信号の不揮発性メモリ１５への記録を一時停止した場合、操作有効無効切換部１３ｃは、ボタンスイッチ１７の、一時停止を解除するボタンスイッチに限って有効とし、その他のボタンスイッチの操作を無効とする。
【００２７】
ボタンスイッチ１７から操作信号出力部１８を介してＣＰＵ１３に、不揮発性メモリ１５へのディジタルオーディオ信号の記録の一時停止を解除する操作信号が入力されると、ＣＰＵ１３は、振動制御部１３ｂに振動制御信号を出力させて振動部１９を振動させ当該振動が終了してから、不揮発性メモリ１５へのディジタルオーディオ信号の記録を再開する。
【００２８】
また、ディジタルオーディオ信号の不揮発性メモリ１５への記録を停止した場合、ＣＰＵ１３が不揮発性メモリ１５へのディジタルオーディオ信号の記録を停止した後、操作有効無効切換部１３ｃは、ボタンスイッチ１７の全てのボタンスイッチを有効とする。
【００２９】
第２の実施例のオーディオ記録装置によれば、オーディオ記録装置のオーディオ信号記録中に、操作されたことを使用者が確認するための振動を出力する対象のボタンスイッチを限定することによって、ボタンスイッチの操作による信号音又は雑音が記録されることなく、ボタンスイッチが操作されたことを使用者が確認するための信号を振動として出力することができる。
【図面の簡単な説明】
【００３０】
【図１】本発明のオーディオ記録装置の第１の実施例の構成を示すブロック図である。
【図２】本発明のオーディオ記録装置の第２の実施例の構成を示すブロック図である。
【符号の説明】
【００３１】
１  オーディオ記録装置
２  リモートコントローラ
１１  マイクロホン
１２  ＡＤＣ／ＤＡＣ
１３  ＣＰＵ
１４  出力端子
１５  不揮発性メモリ
１６、２ａ  送受信部
１７、２ｂ  ボタンスイッチ
１８  操作信号出力部
１９、２ｃ  振動部
【図１】
2006343362.tif 000003
【図２】
2006343362.tif 000004